(57)【特許請求の範囲】
【請求項１】
外壁材の裏面周縁部に断面溝形に形成された枠材がその溝形の開口側を外壁材の外側に向けて取り付けられてなる外壁パネルの塗装工程において、先に外壁材の木口部分が塗装されてローラーコンベア上を搬送される外壁パネルを、チェーンコンベア上の所定位置に載せ替えるために、ローラーコンベアの側方に設けられる案内装置であって、
ローラーコンベア上の所定位置に固定されたガイドヘッドと、ローラーコンベアの側方からローラーコンベアの搬送方向に直交して進退するプッシュヘッドとを備え、これらガイドヘッドおよびプッシュヘッドの前縁部が外壁パネルの枠材に当接するようになされたことを特徴とする外壁パネルの案内装置。
【請求項２】
外壁材の裏面周縁部に断面溝形に形成された枠材がその溝形の開口側を外壁材の外側に向けて取り付けられてなる外壁パネルの塗装工程において、先に外壁材の木口部分が塗装されてローラーコンベア上を搬送される外壁パネルを、チェーンコンベア上の所定位置に載せ替えるために、ローラーコンベアの側方に設けられる案内装置であって、
ローラーコンベアの側方からローラーコンベアの搬送方向に直交して進退するガイドヘッドおよびプッシュヘッドを備え、これらガイドヘッドおよびプッシュヘッドの前縁部が外壁パネルの枠材に当接するようになされたことを特徴とする外壁パネルの案内装置。
【発明の詳細な説明】
【０００１】
【発明の属する技術分野】
本発明は、プレファブ住宅の外壁パネルの製造工程において、コンベア上の所定位置に外壁パネルを案内するための案内装置に関するものである。
【０００２】
【従来の技術】
図４に示すように、プレファブ住宅等の外壁パネルＰは、一般に、外壁材１の裏面に、外壁材１を軸組に固定するための枠材２を取り付けて形成される。外壁材１は、セラミック系あるいはコンクリート系等の素材からなり、その表面は外観デザインを考慮した種々の形状に加工されるとともに、外装色に応じた塗料により塗装される。また、枠材２は、鋼板を断面溝形に折曲形成してなるもので、通常、その溝形の開口側を外壁パネルＰの外側に向け、外壁材１の周縁部に沿って取り付けられる。
【０００３】
従来より、かかる外壁パネルＰの製造工程においては、外壁材１の裏面に枠材２を取り付けた後、外壁材１の木口部分１１を塗装しつつ、図５に示すように、外壁パネルＰをローラーコンベアＲで搬送し、続いて外壁パネルＰをチェーンコンベアＣに載せ替えて塗装ブースＢ内に送り込み、塗装ブースＢ内でスプレー等により外壁材１の表面を塗装している。このとき、ローラーコンベアＲの脇には、外壁パネルＰをチェーンコンベアＣの所定位置に載せるための案内装置３が設けられる。
【０００４】
この案内装置３は、ローラーコンベアＲの脇から外壁パネルＰの搬送方向に直交するように突出したガイドアーム４と、このガイドアームを支持するガイドアーム支持部５と、ガイドアーム４の先端に取り付けられたガイド板６とを備えている。ガイド板６は、その中央部よりもローラーコンベアＲの搬送方向の手前側がやや後退するように湾曲形成され、直立した姿勢でガイドアーム４の先端に固定されている。そして、ガイド板６が、ローラーコンベアＲ上の所定位置に固定された状態で、ローラーコンベアＲ上を搬送されてくる外壁パネルＰの側縁部に当接し、外壁パネルＰを一定の位置に案内するようになされている。
【０００５】
また、前記シリンダー装置５の脇には、ローラーコンベアＲの搬送方向に直交してプッシュロッド７を水平に伸縮させるプッシャー８が設けられ、プッシュロッド７の先端には前記ガイド板６よりも小さいプッシュ板９が直立して取り付けられている。このプッシャー８は、図６に示すように、通常の規格寸法よりも幅の狭い外壁パネルＰａがローラーコンベアＲ上を搬送されてきたときに、プッシュ板９が前進して外壁パネルＰａの搬送方向前方側の側縁部を押し動かし、外壁パネルＰａの姿勢を搬送方向に対して斜めに向けるように作動する。これにより、チェーンコンベアＣのチェーン間隔に対して特に幅の狭いような外壁パネルＰａであっても、安定した姿勢でチェーンコンベアＣに載せられることとなる。
【０００６】
【発明が解決しようとする課題】
しかしながら、前記した従来の外壁パネルの案内装置３においては、図７に示すように、ガイド板６およびプッシュ板９が外壁パネルＰの側面のうち外壁材１の木口部分１１に当接するようになされている。このため、ガイド板６およびプッシュ板９が塗装直後の木口部分１１に傷や汚れを付けたり、ガイド板６およびプッシュ板９に塗料が付着したりするといった不都合が生じていた。
【０００７】
本発明は、かかる事情に鑑みてなされたもので、外壁パネルの案内装置におけるガイド板６およびプッシュ板９の形状を改良することにより前記不都合を解消し、外壁パネルＰの品質や製造効率を向上させることを目的としている。
【０００８】
【課題を解決するための手段】
本発明の請求項１に記載の外壁パネルの案内装置は、外壁材の裏面周縁部に断面溝形に形成された枠材がその溝形の開口側を外壁材の外側に向けて取り付けられてなる外壁パネルの塗装工程において、先に外壁材の木口部分が塗装されてローラーコンベア上を搬送される外壁パネルを、チェーンコンベア上の所定位置に載せ替えるために、ローラーコンベアの側方に設けられる案内装置であって、ローラーコンベア上の所定位置に固定されたガイドヘッドと、ローラーコンベアの側方からローラーコンベアの搬送方向に直交して進退するプッシュヘッドとを備え、これらガイドヘッドおよびプッシュヘッドの前縁部が外壁パネルの枠材に当接するようになされたことを特徴とするものである。
【０００９】
また、請求項２に記載の外壁パネルの案内装置は、外壁材の裏面周縁部に断面溝形に形成された枠材がその溝形の開口側を外壁材の外側に向けて取り付けられてなる外壁パネルの塗装工程において、先に外壁材の木口部分が塗装されてローラーコンベア上を搬送される外壁パネルを、チェーンコンベア上の所定位置に載せ替えるために、ローラーコンベアの側方に設けられる案内装置であって、ローラーコンベアの側方からローラーコンベアの搬送方向に直交して進退するガイドヘッドおよびプッシュヘッドを備え、これらガイドヘッドおよびプッシュヘッドの前縁部が外壁パネルの枠材に当接するようになされたことを特徴とするものである。
【００１０】
【発明の実施の形態】
以下、本発明の実施の形態を、図面を参照しつつ説明する。ただし、本発明の外壁パネルの案内装置の全体的な構成は、図５および図６に示した前記従来の外壁パネルの案内装置３と同様であるため、共通する構成部分の名称および符号については前記従来の外壁パネルの案内装置３の説明に用いた名称および符号を準用する。
【００１１】
図１および図２に示すように、本発明の外壁パネルの案内装置３０は、ローラーコンベアＲの脇から外壁パネルＰの搬送方向に直交するように突出した２本のガイドアーム４と、ローラーコンベアＲの脇に設けられてこのガイドアームを支持するガイドアーム支持部５と、ガイドアーム４の先端に取り付けられた板体状のガイドヘッド６０とを備えている。ガイドヘッド６０は、２箇所の取付部６１を介して、各ガイドアーム４の先端に水平に固定されている。そして、ガイドヘッド６０の前縁部６２が、ローラーコンベアＲ上を搬送されてくる外壁パネルＰの枠材２の溝内に入り込んで枠材２の底部２１に当接するように、その取付高さが調整されている。ガイドヘッド６０の前縁部６２は、中央付近がローラーコンベアＲの搬送方向に沿うように直線的に形成されるとともに、両端付近が中央付近よりも後退するように曲線的に形成されており、ローラーコンベアＲの搬送方向に対して前方よりも手前側のほうが大きな半径の曲線となるように形成されている。また、ガイドヘッド６０の側縁部のうち、ローラーコンベアＲの搬送方向の手前側に位置する側縁部６３は、ガイドアーム支持部５の方向に向かって縮幅するように形成されている。
【００１２】
また、前記シリンダー装置５の脇には、ローラーコンベアＲの搬送方向に直交してプッシュロッド７を水平に伸縮させるプッシャー８が併設され、プッシュロッド７の先端にはプッシュヘッド９０が取り付けられている。プッシュヘッド９０は、前記ガイドヘッド６０よりも小さな板体状で、１箇所の取付部９１を介してプッシュヘッド９０の先端に水平に固定されている。そして、プッシュロッド７が伸びたときに、前記ガイドヘッド６０と同様に、プッシュヘッド９０の前縁部９２が外壁パネルＰの枠材２の溝内に入り込んで枠材２の底部２１に当接するように、その取付高さが設定されている。プッシュヘッド９０の前縁部９２は、プッシュロッド７の前進方向に突出するように平面視略半円形状に形成されている。
【００１３】
この外壁パネルの案内装置３０によれば、ガイドヘッド６０およびプッシュヘッド９０の前縁部６２，９２がそれぞれ外壁材１の木口部分１１ではなく外壁パネルＰの枠材２に当接することとなるため、塗装直後の外壁材１の木口部分１１にも傷や汚れを付けずに外壁パネルＰを案内することができる。また、ガイドヘッド６０およびプッシュヘッド９０の前縁部６２，９２に塗料が付着するのを防止することもできる。その結果、外壁パネルＰの塗装工程におけるトラブルがなくなり、外壁パネルＰの品質や製造効率を向上させることができる。
【００１４】
また、ガイドヘッド６０の前縁部６２の両端付近およびプッシュヘッド９０の前縁部９２が曲線的に形成されており、これらが外壁パネルＰの枠材２に対して円滑に接触するため、外壁パネルＰの姿勢が搬送方向に対して斜めになっていても、外壁パネルＰのコーナー部に引っかかったりすることなく安定した状態で外壁パネルＰを案内することができる。
【００１５】
図３は、本発明の外壁パネルの案内装置の他の実施の形態を示す。
この外壁パネルの案内装置３１は、前記した外壁パネルの案内装置３０におけるガイドアーム４が、ローラーコンベアＲの脇に設けられたシリンダー装置５０によって伸縮自在に保持されたものである。これによって、前記プッシュロッド７と同様に、ガイドアーム４が、ローラーコンベアＲの搬送方向に直交して前進・後退しうるようになされている。ガイドアーム４の先端には、ガイドヘッド６０が、２箇所の取付部６１を介して水平に固定されている。そして、ガイドアーム４が伸びたときにガイドヘッド６０の前縁部６２が外壁パネルＰの枠材２の溝内に入り込んで、枠材２の底部２１に当接するようになされている。
【００１６】
これ以外の各部の構成や形状は、前記実施の形態にかかる外壁パネルの案内装置３０と同様である。
【００１７】
この外壁パネルの案内装置３１によれば、シリンダー装置５０を作動させてガイドアーム４を前進・後退させることにより、ガイドヘッド６０の位置をきめ細かく変化させることができる。そのため、ローラーコンベアＲ上を搬送されてくる外壁パネルＰの種類やサイズに応じてその案内位置を調整するような制御手段等を並設することにより、より柔軟にかつ機能的に外壁パネルＰを案内することも可能になる。
【００１８】
なお、ガイドヘッド６０およびプッシュヘッド９０の形状は、必ずしも前記各実施の形態に示した形状に限定されるものではなく、外壁材１の木口部分１１を避けて外壁パネルＰの枠材２を押すことができるようなものであれば他の形状のものでもよい。また、ガイドヘッド６０やプッシュヘッド９０を板体状のものとせず、例えば、枠材２の溝内に容易に入り込める細いパイプ状の部材を搬送方向に沿って湾曲させつつ、ガイドアーム４またはプッシュロッド７の先端に取り付けたものとすることも可能である。さらに、ガイドヘッド６０やプッシュヘッド９０を、それぞれガイドアーム４またはプッシュロッド７に固定する形態についても任意である。
【００１９】
【発明の効果】
本発明の外壁パネルの案内装置によれば、ガイドヘッドおよびプッシュヘッドの前縁部が外壁材の木口部分を避けて外壁パネルの枠材に当接するので、塗装された外壁材の木口部分に傷や汚れが付いたり、ガイドヘッドおよびプッシュヘッドに塗料が付着したりするのを防止することができ、外壁パネルの品質や製造効率を向上させることができる。
【図面の簡単な説明】
【図１】本発明の外壁パネルの案内装置における、外壁パネルの案内状態を示す部分側面図である。
【図２】前記外壁パネルの案内装置の上面図である。
【図３】本発明の他の実施の形態にかかる外壁パネルの案内装置の上面図である。
【図４】外壁パネルの周縁部の部分断面図である。
【図５】従来の外壁パネルの案内装置の全体的な構成を示す上面図である。
【図６】従来の外壁パネルの案内装置における、幅の狭い外壁パネルの案内状態を示す上面図である。
【図７】従来の外壁パネルの案内装置における、外壁パネルの案内状態を示す部分側面図である。
【符号の説明】
Ｐ  外壁パネル
Ｒ  ローラーコンベア
Ｃ  チェーンコンベア
１  外壁材
１１  木口部分
２  枠材
３０，３１  案内装置
６０  ガイドヘッド
６２  ガイドヘッドの前縁部
９０  プッシュヘッド
９２  プッシュヘッドの前縁部
【図１】
0003648076.tif 000002
【図２】
0003648076.tif 000003
【図３】
0003648076.tif 000004
【図４】
0003648076.tif 000005
【図５】
0003648076.tif 000006
【図６】
0003648076.tif 000007
【図７】
0003648076.tif 000008